(57)【要約】【課題】発電設備が低負荷運転で抽気された蒸気の圧力が低下した際に、給水の加熱に用いた蒸気の戻りの熱エネルギーを有効に回収して、発電設備の効率を向上させることができる蒸気回収設備及び蒸気回収方法を提供する。【解決手段】高圧給水加熱器１３Ａと脱気器１１を連結する第２ドレン経路１９に蒸気の戻りの流量を調整する第２調整弁１５と蒸気の戻りを送圧する加圧ポンプ１７を備え、低負荷運転時で高圧給水加熱器１３に滞留する蒸気量がある定格値を超えた場合に、制御手段２４によって、第２調整弁１５で蒸気量が調整されながら第２ドレン経路１９の加圧ポンプ１７が駆動されて高圧給水加熱器１３Ａから脱気器１１に蒸気の戻りを送給して、脱気器１１のタンクで直接蒸気の戻りの熱エネルギーを回収する。【選択図】図１
2008180158.tif 000002
【特許請求の範囲】
【請求項１】
ボイラからの蒸気により駆動されるタービンと、
タービンで仕事を終えた蒸気を凝縮する復水器と、
復水器で凝縮された復水を脱気処理して給水とする脱気器と、
復水器で凝縮された復水を脱気器に圧送する復水供給ポンプと、
脱気器で脱気処理された給水をボイラに圧送する給水ポンプと、
ボイラに圧送される給水を高圧の蒸気により加温する高圧熱交換手段とを備えた発電設備であって、
高圧熱交換手段の熱媒体とされた蒸気の戻りを脱気器に送るドレン経路と、
ドレン経路を流通する蒸気の圧力が低下した際に蒸気を脱気器に送給するための圧力を付与する圧送ポンプと
を備えたことを特徴とする蒸気回収設備。
【請求項２】
請求項１に記載の蒸気回収設備において、
発電設備には、脱気器に圧送される復水を低圧の蒸気により加温する間接熱交換手段が備えられ、
高圧熱交換手段の熱媒体とされた蒸気の戻りを間接熱交換手段に熱媒体として送るドレン配管をドレン経路から分岐して備えた
ことを特徴とする蒸気回収設備。
【請求項３】
請求項１もしくは請求項２に記載の蒸気回収設備において、
ドレン経路を開閉する調整弁と、
調整弁が開いていることを条件に高圧熱交換手段の蒸気量が所定量を超えた場合に圧送ポンプを駆動する制御手段と
を備えたことを特徴とする蒸気回収設備。
【請求項４】
請求項１乃至請求項３の何れか一項に記載の蒸気回収設備において、
発電設備の脱気器は、高圧熱交換手段よりも高い位置に設置され、
発電設備の高圧熱交換器には、タービンから抽気された蒸気が熱媒体として送られる
ことを特徴とする蒸気回収設備。
【請求項５】
ボイラからの蒸気により駆動されるタービンと、
タービンで仕事を終えた蒸気を凝縮する復水器と、
復水器で凝縮された復水を脱気処理して給水とする脱気器と、
復水器で凝縮された復水を脱気器に圧送する復水供給ポンプと、
脱気器に圧送される復水を低圧側タービンから抽気された蒸気により加温する間接熱交換手段と、
脱気器で脱気処理された給水をボイラに圧送する給水ポンプと、
脱気器よりも低い位置に設置されボイラに圧送される給水を高圧側タービンから抽気された蒸気により加温する高圧熱交換手段と、
高圧側タービンから抽気された蒸気を高圧熱交換手段に送る抽気経路と
を備えた発電設備であって、
高圧熱交換手段の熱媒体とされた蒸気の戻りを抽気の圧力によって脱気器に圧送するドレン経路と、
ドレン経路から分岐して備えられ高圧熱交換手段の熱媒体とされた蒸気の戻りを間接熱交換手段に熱媒体として送るドレン配管と、
抽気の圧力が低下した際に熱回収された蒸気を脱気器に送給するための圧力を付与する圧送ポンプと、
ドレン経路を開閉する調整弁と、
調整弁が開いていることを条件に高圧熱交換手段の蒸気量が所定量を超えた場合に圧送ポンプを駆動する制御手段と
を備えたことを特徴とする蒸気回収設備。
【請求項６】
ボイラで生成した蒸気により駆動されるタービンで発電を行い、タービンで仕事を終えた蒸気を復水器で凝縮して復水とし、復水を脱気器で脱気処理して給水とし、給水をタービンから抽気された蒸気で加温してボイラに還流する発電設備において、タービンから抽気された蒸気の圧力が低下した際に、抽気された蒸気の戻りを圧送ポンプにより脱気器に送給することを特徴とする蒸気回収方法。
【発明の詳細な説明】
【技術分野】
【０００１】
本発明は、発電設備においてボイラへの給水の加熱に用いられた蒸気の戻りを有効に熱回収する蒸気回収設備及び蒸気回収方法に関する。
【背景技術】
【０００２】
火力発電所等の発電設備では、発生させた高温・高圧の蒸気をタービンに供給し、この蒸気によりタービンを駆動して発電を行っている。タービンを駆動した後の蒸気は、復水器により凝縮されて復水とされ、復水器で凝縮された復水を脱気器で脱気処理する。その後、脱気器で脱気処理された復水は、蒸気で加熱され昇温してからボイラに給水されている。
【０００３】
このボイラに送られる給水は、高圧側のタービンから抽気された高温・高圧の蒸気により高圧熱交換手段で加熱されている。また、給水の加熱に用いられた蒸気の戻りは、タービン抽気の蒸気の圧力により脱気器のタンクに直接投入され、タンクで蒸気の熱エネルギーが回収される。一方、復水器で凝縮された復水は、低圧側のタービンから抽気された低温・低圧の蒸気により間接熱交換手段で間接的に加熱されている。発電設備の起動時等でタービンから抽気される蒸気の圧力が低下した際には、給水の加熱に用いられた蒸気の戻りは、復水を加熱する間接熱交換手段に送られる。
【０００４】
そして、発電設備は、一般に建家構造となっており（例えば、特許文献１参照）、脱気器で脱気処理された給水を加熱する高圧熱交換手段及び復水器で凝縮された復水を加熱する間接熱交換手段に対して、脱気器は高い位置に設置されている。脱気器は高い位置に設置されているが、タービンから抽気された蒸気の圧力が十分高い時には、タービン抽気の圧力が高く蒸気の戻りを押し揚げるので、高圧熱交換手段から高所に設置された脱気器に蒸気の戻りが圧送される。一方、発電設備の起動等、タービンから抽気された蒸気の圧力が低下した際には、抽気の圧力が低く高圧熱交換手段の蒸気の圧力が低下するため、高所に設置されている脱気器に蒸気の戻りを押し揚げる力が弱まる。そこで、高圧熱交換手段から同じ高さに設置されている間接熱交換手段に蒸気の戻りを流入させる。
【０００５】
脱気器で脱気処理された給水を加熱する高圧熱交換手段で給水の加熱に用いられた蒸気の温度は、例えば１２０℃を超える高温であるのに対し、復水器で凝縮された復水を加熱する間接熱交換手段の蒸気の温度は、例えば１００℃程度である。したがって、高圧熱交換手段で例えば１２０℃を超える高温の蒸気が、例えば１２０℃に近い温度を保持する脱気器のタンクに圧送されるので、脱気器のタンクで高温のまま有効に蒸気の戻りの熱エネルギーが回収される。
【０００６】
しかし、低負荷運転等タービン抽気の圧力が低下した際には、例えば１００℃しかない間接熱交換手段に例えば１２０℃を超える高温の蒸気の戻りが送られることになってしまう。このため、蒸気の熱エネルギーの損失が大きくなってしまう。このように、タービン抽気の圧力が低下し高圧熱交換手段から脱気器に圧送する程度に十分な蒸気の圧力に達しない場合、給水の加熱に用いられた高温の蒸気の戻りが、同様に高温を保持する脱気器ではなく低温の間接熱交換手段に送られてしまうので、蒸気の熱エネルギーが十分に回収されないという問題があった。
【０００７】
【特許文献１】特開平９−２３６２０９号公報
【発明の開示】
【発明が解決しようとする課題】
【０００８】
本発明は上記状況に鑑みてなされたもので、発電設備が低負荷運転で抽気された蒸気の圧力が低下した際に、給水の加熱に用いた蒸気の戻りの熱エネルギーを有効に回収して、発電設備の効率を向上させることができる蒸気回収設備及び蒸気回収方法を提供することを目的とする。
【課題を解決するための手段】
【０００９】
上記目的を達成するための本発明の第１の態様は、ボイラからの蒸気により駆動されるタービンと、タービンで仕事を終えた蒸気を凝縮する復水器と、復水器で凝縮された復水を脱気処理して給水とする脱気器と、復水器で凝縮された復水を脱気器に圧送する復水供給ポンプと、脱気器で脱気処理された給水をボイラに圧送する給水ポンプと、ボイラに圧送される給水を高圧の蒸気により加温する高圧熱交換手段とを備えた発電設備であって、高圧熱交換手段の熱媒体とされた蒸気の戻りを脱気器に送るドレン経路と、ドレン経路を流通する蒸気の圧力が低下した際に蒸気を脱気器に送給するための圧力を付与する圧送ポンプとを備えたことを特徴とする蒸気回収設備にある。
【００１０】
第１の態様では、送給される蒸気の圧力が低下した際に、圧送ポンプによって高圧熱交換手段から脱気器に蒸気が送られるので、給水の加熱に用いられた蒸気の熱を有効に回収することができる。
【００１１】
本発明の第２の態様は、第１の態様に記載の蒸気回収設備において、発電設備には、脱気器に圧送される復水を低圧の蒸気により加温する間接熱交換手段が備えられ、高圧熱交換手段の熱媒体とされた蒸気の戻りを間接熱交換手段に熱媒体として送るドレン配管をドレン経路から分岐して備えたことを特徴とする蒸気回収設備にある。
【００１２】
第２の態様では、発電設備の起動時等、送給される蒸気の圧力が低下した際に、高圧熱交換手段から間接熱交換手段に蒸気の戻りを流入させることができる。
【００１３】
本発明の第３の態様は、第１もしくは第２の態様に記載の蒸気回収設備において、ドレン経路を開閉する調整弁と、調整弁が開いていることを条件に高圧熱交換手段の蒸気量が所定量を超えた場合に圧送ポンプを駆動する制御手段とを備えたことを特徴とする蒸気回収設備にある。
【００１４】
第３の態様では、送給される蒸気の圧力が低下した際に、蒸気量を調整弁で調整しながら圧送ポンプを駆動させて、高圧熱交換手段から脱気器へ蒸気を圧送することができる。
【００１５】
本発明の第４の態様は、第１乃至第３の態様の何れか一項に記載の蒸気回収設備において、発電設備の脱気器は、高圧熱交換手段よりも高い位置に設置され、発電設備の高圧熱交換器には、タービンから抽気された蒸気が熱媒体として送られることを特徴とする蒸気回収設備にある。
【００１６】
第４の態様では、発電設備の運転負荷が高くタービンから抽気された蒸気の圧力が高い際には、蒸気の圧力によって高圧熱交換手段から高い位置に設置されている脱気器に蒸気が送られる。
【００１７】
本発明の第５の態様は、ボイラからの蒸気により駆動されるタービンと、タービンで仕事を終えた蒸気を凝縮する復水器と、復水器で凝縮された復水を脱気処理して給水とする脱気器と、復水器で凝縮された復水を脱気器に圧送する復水供給ポンプと、脱気器に圧送される復水を低圧側タービンから抽気された蒸気により加温する間接熱交換手段と、脱気器で脱気処理された給水をボイラに圧送する給水ポンプと、脱気器よりも低い位置に設置されボイラに圧送される給水を高圧側タービンから抽気された蒸気により加温する高圧熱交換手段と、高圧側タービンから抽気された蒸気を高圧熱交換手段に送る抽気経路とを備えた発電設備であって、高圧熱交換手段の熱媒体とされた蒸気の戻りを抽気の圧力によって脱気器に圧送するドレン経路と、ドレン経路から分岐して備えられ高圧熱交換手段の熱媒体とされた蒸気の戻りを間接熱交換手段に熱媒体として送るドレン配管と、抽気の圧力が低下した際に熱回収された蒸気を脱気器に送給するための圧力を付与する圧送ポンプと、ドレン経路を開閉する調整弁と、調整弁が開いていることを条件に高圧熱交換手段の蒸気量が所定量を超えた場合に圧送ポンプを駆動する制御手段とを備えたことを特徴とする蒸気回収設備にある。
【００１８】
第５の態様では、発電設備の運転負荷が低く送給される蒸気の圧力が低下した際に、圧送ポンプを駆動し、調整弁で蒸気量を調整しながら高圧熱交換手段から高い位置に設置された脱気器に熱回収された蒸気を送給することができる。
【００１９】
本発明の第６の態様は、ボイラで生成した蒸気により駆動されるタービンで発電を行い、タービンで仕事を終えた蒸気を復水器で凝縮して復水とし、復水を脱気器で脱気処理して給水とし、給水をタービンから抽気された蒸気で加温してボイラに還流する発電設備において、タービンから抽気された蒸気の圧力が低下した際に、抽気された蒸気の戻りを圧送ポンプにより脱気器に送給することを特徴とする蒸気回収方法にある。
【００２０】
第６の態様では、送給される蒸気の圧力が低下した際に、圧送ポンプによって脱気器に熱回収された蒸気を送給することができるので、給水の加熱に用いられた蒸気の熱を有効に回収することができる。
【発明の効果】
【００２１】
本発明の蒸気回収設備及び蒸気回収方法によれば、発電設備が低負荷運転で抽気された蒸気の圧力が低下した際に、高圧熱交換手段で熱回収された蒸気の戻りを脱気器に圧送することができるので、給水の加熱に用いた蒸気の戻りの熱エネルギーを有効に回収し、発電設備の効率を向上させることができる。
【発明を実施するための最良の形態】
【００２２】
図１には本発明の一実施形態例に係る蒸気回収設備を備えた発電設備の概略系統を示してある。
【００２３】
図に示すように、発電設備は燃料ｆが高温で燃焼されるボイラ１を備えており、ボイラ１は、蒸気の流通路でタービンと繋がっている。タービンは高圧側の高圧タービン２及び低圧側の低圧タービン３が直列に連結されている。ボイラ１とタービンを繋ぐ蒸気の流通路は、高圧タービン２及び低圧タービン３の各々に繋がれている。直列接続された高圧タービン２及び低圧タービン３の同軸上には、発電が行われる発電機４が設けられている。
【００２４】
また、低圧タービン３には、蒸気が凝縮されて復水とされる復水器５が設けられている。低圧タービン３に設けられた復水器５の出口側には、復水ポンプ６が備えられており、復水の流通路によって復水器５と低圧給水加熱器７Ａ〜７Ｃ（間接熱交換手段）のうちの低圧給水加熱器７Ａ，７Ｂに各々が連結されている。低圧給水加熱器７Ａ〜７Ｃは並列に接続された低圧給水加熱器７Ａ，７Ｂと、低圧給水加熱器７Ａ，７Ｂで加熱された復水を加熱する低圧給水加熱器７Ｃとで構成されている。
【００２５】
低圧給水加熱器７Ｃの出口側には、復水昇圧ポンプ１０が備えられている。低圧給水加熱器７Ｃと低圧給水加熱器７Ｃより上方に位置する脱気器１１は、復水の流通路で連結されている。復水昇圧ポンプ１０によって低圧給水加熱器７Ｃから高所の脱気器１１へ復水が圧送される。脱気器１１では、復水器５から送られてきた復水が脱気処理され給水とされる。脱気器１１の出口側には、給水昇圧ポンプ１２が備えられており、脱気器１１と脱気器１１より下方に位置する高圧給水加熱器１３Ａが給水の流通路で連結されている。給水昇圧ポンプ１２によって高所の脱気器１１から高圧給水加熱器１３Ａへ給水が圧送される。高圧給水加熱器１３Ａは、上下方向に多段からなる（例えば、４段）高圧給水加熱器１３（高圧熱交換手段）の最下段に設置されている。高圧給水加熱器１３内は、最下段の高圧給水加熱器１３Ａから順に、高圧給水加熱器１３Ｂ、高圧給水加熱器１３Ｃ、そして最上段の高圧給水加熱器１３Ｄが給水の流通路で連結されている。多段からなる高圧給水加熱器１３の最上段に設置された高圧給水加熱器１３Ｄとボイラ１は、給水の流通路で連結されている。
【００２６】
上記したようにボイラ１から蒸気が発生されて、タービンで仕事をした蒸気が復水器５で復水とされ、復水が低圧給水加熱器７Ａ〜７Ｃで加熱され、脱気器１１で復水が脱気処理された後、高圧給水加熱器１３で加熱されてボイラ１に給水される過程を実線で示した。
【００２７】
一般に、発電設備において各機器は複数階状態の建家構造で配置されている。脱気器１１は建家の上階に設置され、脱気器１１より上流側の低圧給水加熱器７Ａ〜７Ｃと脱気器１１より下流側の高圧給水加熱器１３は、建家の下階に設置されている。
【００２８】
低圧給水加熱器７Ｃと低圧タービン３は第１抽気経路２１で接続されており、低圧給水加熱器７Ｃと低圧給水加熱器７Ａ，７Ｂがタービン抽気の通路で連結されている。
【００２９】
このため、低圧タービン３から抽気された蒸気が低圧給水加熱器７Ｃから低圧給水加熱器７Ａ，７Ｂに導入される。低圧給水加熱器７Ａ〜７Ｃでは、低圧給水加熱器７Ａ〜７Ｃに導入された蒸気が熱媒体として給水を所望の温度に加熱している。
【００３０】
高圧給水加熱器１３の最上段の高圧給水加熱器１３Ｄと高圧タービン２は第２抽気経路２２で接続されている。多段からなる高圧給水加熱器１３内は、最上段の高圧給水加熱器１３Ｄから順に、高圧給水加熱器１３Ｃ、高圧給水加熱器１３Ｂ、そして最下段の高圧給水加熱器１３Ａが第２抽気経路２２から延設されたタービン抽気の通路で連結されている。
【００３１】
このため、高圧タービン２から抽気された蒸気が高圧給水加熱器１３Ｄから、高圧給水加熱器１３Ｃ、高圧給水加熱器１３Ｂ、高圧給水加熱器１３Ａに導入される。高圧給水加熱器１３では、高圧給水加熱器１３に導入された蒸気が熱媒体として給水を所望の温度に加熱し、給水をさらに昇温させている。
【００３２】
また、高圧タービン２と第２抽気経路２２で連結される高圧給水加熱器１３Ａでの蒸気の戻りの温度は、例えば１２０℃を超える高温である。同様に復水を脱器処理する脱気器１１での温度は、例えば１２０℃近い高温を保持している。一方、低圧タービン３と第１抽気経路２１で連結される低圧給水加熱器７Ｃでの蒸気の温度は、例えば１００℃程度である。
【００３３】
高圧給水加熱器１３Ａと高圧給水加熱器１３Ａより上方に位置する脱気器１１は第１ドレン経路１８で連結されている。高圧給水加熱器１３Ａと脱気器１１を繋ぐ第１ドレン経路１８には、順に逆止弁２３と第１調整弁１４が備えられている。第１ドレン経路１８上の逆止弁２３と第１調整弁１４の間から第２ドレン経路１９が分岐して設けられている。第２ドレン経路１９には、加圧ポンプ１７（圧送ポンプ）と第２調整弁１５が順に備えられている。第２調整弁１５の後側から、第１ドレン経路１８の第１調整弁１４より後側に第２ドレン経路１９が合流するように配設されている。第２ドレン経路１９の加圧ポンプ１７は、高圧給水加熱器１３Ａから高所の脱気器１１に蒸気を圧送するためのものである。
【００３４】
上記のように本発明の実施形態に係る蒸気回収設備において熱媒体とされるタービン抽気の抽気経路及び、蒸気の戻りが熱回収されるための流通路を点線で示した。
【００３５】
建家の下階の高圧給水加熱器１３Ａと建家の上階の脱気器１１が第１ドレン経路１８及び加圧ポンプ１７を備える第２ドレン経路１９で連結されている。このため、タービン抽気の圧力が大きい高負荷運転時は、高圧給水加熱器１３の蒸気が押し揚げられるので、下階の高圧給水加熱器１３Ａから第１ドレン経路１８を経て、第１調整弁１４で蒸気量が調整されながら、上階の脱気器１１のタンクに直接蒸気の戻りが投入される。一方、タービン抽気の圧力が小さい低負荷運転時は、加圧ポンプ１７が駆動されて高圧給水加熱器１３の蒸気が押し揚げられるので、下階の高圧給水加熱器１３Ａから第２ドレン経路１９を経て、第２調整弁１５で蒸気量が調整されながら、上階の脱気器１１のタンクに直接蒸気の戻りが投入される。
【００３６】
また、建家の下階の高圧給水加熱器１３Ａと、建家の下階の低圧給水加熱器７Ｃは、ドレン配管２０で連結されている。ドレン配管２０は、第２ドレン経路１９の第２調整弁１５の後方から分岐して設けられ、高圧給水加熱器１３Ａと低圧給水加熱器７Ｃを繋いでいる。ドレン配管２０には、第３調整弁１６が備えられている。
【００３７】
通常運転中、ドレン配管２０上の第３調整弁１６は、常時閉じられている。起動時等の低負荷運転時に、第３調整弁１６を開状態にし、高圧給水加熱器１３Ａから低圧給水加熱器７Ｃに蒸気の戻りを流入させることもある。
【００３８】
高負荷運転時には、高圧給水加熱器１３は、送られる蒸気の抽気圧力が大きく蒸気が上階の脱気器１１に押し揚げられるので、高圧給水加熱器１３に蒸気は滞留しにくい。しかし、低負荷運転時には、送られる蒸気の抽気圧力が小さく蒸気が上階の脱気器１１に押し揚げられないので、高圧給水加熱器１３に蒸気が滞留する。
【００３９】
低負荷運転時には、高圧給水加熱器１３が上下方向に多段からなる構造のため、最下段の高圧給水加熱器１３Ａに蒸気が滞留し始める。さらに運転負荷が低下するにつれて、高圧給水加熱器１３の下段から上段に蒸気が滞留していく。
【００４０】
このように、高圧給水加熱器１３に滞留する蒸気量が運転負荷切り替え制御のトリガーとなる。そこで、蒸気回収設備には、運転負荷に応じた加圧ポンプ１７の起動・停止及び第１調整弁１４と第２調整弁１５の開閉を制御する制御手段２４が設けられている。制御手段２４は、滞留した蒸気量を検知する検出器（図示せず）からの入力値に基づいて指令を送る構成となっている。すなわち、制御手段２４は、高圧給水加熱器１３に滞留する蒸気量を検知する検出器からの入力値を読み取り、滞留した蒸気量が増加して入力された蒸気量がある定格値を超えた場合に、加圧ポンプ１７を駆動させるとともに、第１調整弁１４を閉状態にし、蒸気量に応じて第２調整弁１５の開度を調整する指令を送る。一方、制御手段２４は、蒸気が滞留せず入力された蒸気量が定格値以下の場合に、加圧ポンプ１７を停止状態にし、第２調整弁１５を閉状態にし、蒸気量に応じて第１調整弁１４の開度を調整する指令を送る。
【００４１】
タービン抽気の圧力が大きい高負荷運転時には、抽気蒸気の高い圧力で蒸気が上階の脱気器１１に押し揚げられるので、高圧給水加熱器１３に蒸気が滞留せず、検出される蒸気量は定格値以下となる。制御手段２４は、検出器で検知された蒸気量が定格値以下であることを読み取る。すると、制御手段２４から加圧ポンプ１７を停止状態にし、第２調整弁１５を閉状態にする指令が送られ、検出器からの蒸気量に応じて第１ドレン経路１８の第１調整弁１４の開度を調整する指令が送られる。
【００４２】
このため、高負荷運転時には、制御手段２４により第１ドレン経路１８の第１調整弁１４が開かれ、第２ドレン経路１９の加圧ポンプ１７は停止され、第２調整弁１５が閉じられる。その結果、タービン抽気の蒸気の圧力が大きくなり、蒸気が押し揚げられるので、蒸気は第１ドレン経路１８を通って高圧給水加熱器１３Ａから脱気器１１のタンクに送られる。また、制御手段２４によって、第１ドレン経路１８の第１調整弁１４で蒸気量が調整されながら、下階の高圧給水加熱器１３Ａから上階の脱気器１１のタンクに、高温の蒸気が直接圧送される。
【００４３】
タービン抽気の圧力が小さい低負荷運転時には、抽気蒸気の圧力が小さく蒸気が上階の脱気器１１に押し揚げられないので、高圧給水加熱器１３に蒸気が滞留し、滞留する蒸気量が増大する。滞留する蒸気量が増大し続けると、高圧給水加熱器１３の蒸気量が定格値より大きい値を示す。制御手段２４は、検出器で検知された蒸気量が定格値より大きいことを読み取る。すると、制御手段２４から第２ドレン経路１９の加圧ポンプ１７を駆動させ、第１ドレン経路１８の第１調整弁１４を閉状態にする指令が送られる。さらに、検出器からの蒸気量に応じて第２ドレン経路１９の第２調整弁１５の開度を調整する指令が送られる。
【００４４】
このため、低負荷運転時には、制御手段２４により第２ドレン経路１９の加圧ポンプ１７が駆動され第２調整弁１５が開かれ、第１ドレン経路１８の第１調整弁１４が閉じられる。その結果、加圧ポンプ１７によって蒸気が押し揚げられるので、蒸気は第２ドレン経路１９を通って高圧給水加熱器１３Ａから脱気器１１のタンクに送られる。制御手段２４によって、第２ドレン経路１９の第２調整弁１５で蒸気量が調整されながら、下階の高圧給水加熱器１３Ａから上階の脱気器１１のタンクに高温の蒸気が圧送される。
【００４５】
上記のように、高負荷運転時だけでなく低負荷運転時にも、加圧ポンプ１７が駆動されて高圧給水加熱器１３Ａの例えば１２０℃の蒸気が、例えば１００℃しかない低圧給水加熱器７Ｃでなく、同じく１２０℃近い温度を保持する脱気器１１のタンクに直接圧送されることによって、高温の蒸気の熱が高温の脱気器１１のタンクで直接熱回収されるので、蒸気の戻りの熱エネルギーを有効に使うことができる。
【００４６】
このようにして、発電設備が低負荷運転時で高圧タービン２から抽気された蒸気の圧力が低下した場合に、即ち、高圧給水加熱器１３に滞留する蒸気量がある定格値を超えた場合に、制御手段２４の指令によって第２ドレン経路１９の加圧ポンプ１７が駆動され、第２調整弁１５で流量を調整されながら、下階の高圧給水加熱器１３Ａから上階の脱気器１１のタンクに高温の蒸気を直接流入させることができる。このため、高温の蒸気の熱回収を効率よく行うことができ、発電設備の熱効率を向上させることができる。
【００４７】
ただし、上記したように、通常運転中は、ドレン配管２０の第３調整弁１６は閉じられているが、起動時等に制御手段２４により第３調整弁１６が開かれ、高圧給水加熱器１３Ａから低圧給水加熱器７Ｃに蒸気の戻りが流入される。
【００４８】
尚、本実施形態例では、高圧タービン２と低圧タービン３を直列に配した構成をとったが、タービンの配列は発電設備によって異なり、上記した実施例に限定されるものではない。例えば、低圧・中圧・高圧のタービン等を発電設備に応じて適宜設置しても構わない。
【００４９】
また、発電設備が複数ある場合、１個の発電設備内にとどまらず、複数の水平展開された発電設備において蒸気回収設備を共通に利用することができる。
【産業上の利用可能性】
【００５０】
本発明は、発電設備における蒸気の熱回収をする蒸気回収設備及び蒸気回収方法の産業分野で利用することができる。
【図面の簡単な説明】
【００５１】
【図１】本発明の一実施形態例に係る蒸気回収設備を備えた発電設備の概略系統図である。
【符号の説明】
【００５２】
１      ボイラ
２      高圧タービン
３      低圧タービン
４      発電機
５      復水器
６      復水ポンプ
７Ａ、７Ｂ、７Ｃ      低圧給水加熱器
１０    復水昇圧ポンプ
１１    脱気器
１２    給水昇圧ポンプ
１３Ａ、１３Ｂ、１３Ｃ、１３Ｄ    高圧給水加熱器
１４    第１調整弁
１５    第２調整弁
１６    第３調整弁
１７    加圧ポンプ
１８    第１ドレン経路
１９    第２ドレン経路
２０    ドレン配管
２１    第１抽気経路
２２    第２抽気経路
２３    逆止弁
２４    制御手段
【図１】
2008180158.tif 000003